(57)【要約】【課題】  隔壁部とタイヤ内側面との連結部の耐久性を向上させることが可能な空気入りタイヤを提供する。【解決手段】  空気入りタイヤ１０には、タイヤショルダー部２１のタイヤ内側面１７からタイヤ径方向内側に延び、そのタイヤ径方向内側端がリム１２と接触する隔壁部２４が設けられている。隔壁部２４のタイヤ内側面１７との連結部２９を介して隔壁部２４からタイヤサイド部２０に至る領域には、隔壁部２４のタイヤ内側面１７との連結部２９を介して隔壁部２４からタイヤサイド部２０に連続するように左右一対の補強層３８が設けられている。この補強層３８により、隔壁部２４とタイヤ内側面１７との連結部２９で第一のカーカスプライ３２を設けた部分と第二のカーカスプライ３７を設けた部分とが剥離してしまうことを防止できるので、従来に比して隔壁部２４の連結部２９の耐久性を向上させることができる。【選択図】  図１
2006175893.tif 000002
【特許請求の範囲】
【請求項１】
タイヤ幅方向両側に形成された左右一対のタイヤサイド部と、
前記左右一対のタイヤサイド部のうち一方のタイヤサイド部のタイヤ径方向外側端と他方のタイヤサイド部のタイヤ径方向外側端とを連結するトレッド部と、
前記左右一対のタイヤサイド部のそれぞれに形成された外側ビード部の間に前記外側ビード部とはタイヤ幅方向に離間して設けられ、前記タイヤサイド部及び前記トレッド部の少なくとも一方のタイヤ内側面からタイヤ径方向内側に延びると共に、タイヤ径方向内側端にリムと接触する内側ビード部を有して構成され、且つ、前記タイヤサイド部と前記トレッド部と前記リムとで形成されるタイヤ気室をタイヤ幅方向に三分割する左右一対の隔壁部と、を備えた空気入りタイヤにおいて、
前記外側ビード部の内径は、前記内側ビード部の内径よりも大きく形成され、
前記隔壁部の前記タイヤ内側面との連結部を介して前記隔壁部から前記タイヤサイド部に至る領域には、前記隔壁部の前記タイヤ内側面との連結部を介して前記隔壁部から前記タイヤサイド部に連続するように左右一対の補強層が設けられていることを特徴とする空気入りタイヤ。
【請求項２】
前記補強層は、傾斜コード層、３軸織物、不織布のいずれかにより又はこれらの組み合わせにより構成されていることを特徴とする請求項１に記載の空気入りタイヤ。
【請求項３】
前記外側ビード部の内径をＲＯとし、前記内側ビード部の内径をＲＩとしたときに、０＜ＲＯ−ＲＩ＜５０ｍｍを満足する、ことを特徴とする請求項１又は請求項２に記載の空気入りタイヤ。
【請求項４】
前記隔壁部と前記タイヤ内側面との連結部に位置する前記補強層のタイヤ径方向最外側の部分を前記補強層の折り返し屈曲点とすると共に、
前記補強層の折り返し屈曲点から前記補強層に沿って前記内側ビード部側へ延びる部分の前記補強層の長さをＷ１とし、
前記補強層の折り返し屈曲点から前記補強層に沿って前記外側ビード部側へ延びる部分の前記補強層の長さをＷ２とし、
前記補強層を前記隔壁部に沿って前記内側ビード部のビードベース突出端を通過するタイヤ回転軸方向と平行な内側ビード部突出端基準線にまで仮想的に延長させたときの前記補強層の折り返し屈曲点から前記補強層の仮想延長線と前記内側ビード部突出端基準線との交点に至る部分の前記隔壁部の長さをＦＨ１とし、
前記補強層を前記タイヤサイド部に沿って前記外側ビード部のビードベース突出端を通過するタイヤ回転軸方向と平行な外側ビード部突出端基準線にまで仮想的に延長させたときの前記補強層の折り返し屈曲点から前記補強層の仮想延長線と前記外側ビード部突出端基準線との交点に至る部分の前記タイヤサイド部の長さをＦＨ２としたときに、
１０ｍｍ≦Ｗ１≦ＦＨ１で、且つ、１０ｍｍ≦Ｗ２≦ＦＨ２を満足する、ことを特徴とする請求項１乃至請求項３のいずれか一項に記載の空気入りタイヤ。
【請求項５】
前記左右一対の外側ビード部には、タイヤ周方向に沿って延びる外側ビードコアがそれぞれ設けられ、
前記左右一対の内側ビード部には、前記外側ビードコアのタイヤ幅方向内側に配置され、タイヤ周方向に沿って延びる内側ビードコアがそれぞれ設けられ、
一方の前記タイヤサイド部から前記トレッド部を介して他方の前記タイヤサイド部に至る領域には、前記一対の外側ビードコア間にトロイダル状に跨るように構成されると共にタイヤ幅方向両端側が前記一対の外側ビードコアのそれぞれに係止された第一のカーカスプライが設けられ、
一方の前記隔壁部から前記トレッド部を介して他方の前記隔壁部に至る領域には、前記第一のカーカスプライのタイヤ内側に配置され、前記一対の内側ビードコア間にトロイダル状に跨るように構成されると共にタイヤ幅方向両端側が前記一対の内側ビードコアのそれぞれに係止された第二のカーカスプライが設けられ、
前記左右一対の隔壁部には、前記タイヤサイド部及び前記トレッド部の少なくとも一方のタイヤ内側面から前記第二のカーカスプライのタイヤ外側に沿ってタイヤ径方向内側に延びると共に、タイヤ径方向内側端がリムに接触するように形成された隔壁ゴム層がそれぞれ設けられ、
前記左右一対の補強層のそれぞれは、前記第一のカーカスプライのタイヤ内側で且つ前記第二のカーカスプライのタイヤ外側に配置されていることを特徴とする請求項１乃至請求項４のいずれか一項に記載の空気入りタイヤ。
【請求項６】
前記第二のカーカスプライのタイヤ幅方向一端側は、前記左右一対の内側ビードコアの一方にタイヤ外側から内側へ向けて巻き上げられ、
前記第二のカーカスプライのタイヤ幅方向他端側は、前記左右一対の内側ビードコアの他方にタイヤ外側から内側へ向けて巻き上げられていることを特徴とする請求項５に記載の空気入りタイヤ。
【請求項７】
請求項１乃至請求項６のいずれか一項に記載の空気入りタイヤと、
前記空気入りタイヤを装着するリムと、を備え、
前記リムは、前記左右一対の外側ビード部の内周面にそれぞれ接触する左右一対の外側ビードシートと、
前記左右一対の外側ビードシートのそれぞれのリム軸方向内側に段部を介して設けられ、前記外側ビードシートよりも小径に設定されて前記左右一対の内側ビード部のそれぞれの内周面に接触する左右一対の内側ビードシートと、
前記左右一対の内側ビードシートの一方と他方の間に設けられ、前記内側ビードシートよりも小径に設定されたドロップと、を有することを特徴とするタイヤ・リム組立体。  
【請求項８】
前記タイヤ気室のうちタイヤ軸方向両側に形成されたタイヤ気室の内圧は、タイヤ軸方向中央に形成されたタイヤ気室の内圧よりも高く設定されていることを特徴とする請求項７に記載のタイヤ・リム組立体。
【発明の詳細な説明】
【技術分野】
【０００１】
本発明は、空気入りタイヤ、及びタイヤ・リム組立体に係り、特に、タイヤ内側に形成された隔壁部によってタイヤ気室がタイヤ幅方向に複数に分割されてなる空気入りタイヤ、及びタイヤ・リム組立体に関する。
【背景技術】
【０００２】
従来より、タイヤ内側に形成された隔壁部によってタイヤ気室がタイヤ幅方向に複数に分割されてなる空気入りタイヤが知られている（例えば、特許文献１参照）。
【０００３】
例えば、特許文献１に記載の空気入りタイヤでは、空気入りタイヤをリムに装着したときに空気入りタイヤとリムとの間に形成されるタイヤ気室をタイヤ幅方向に三分割する一対の隔壁部が設けられている。
【０００４】
この特許文献１に記載の空気入りタイヤの構成を簡単に説明すると、この空気入りタイヤには、外側ビードコアにトロイド状に跨る第一のカーカスプライが設けられていると共に、この第一のカーカスプライの内側に、内側ビードコアにトロイド状に跨る第二のカーカスプライが設けられている。
【０００５】
そして、隔壁部は、タイヤショルダー部付近のタイヤ内側面から第二のカーカスプライに沿ってタイヤ径方向内側に延び、そのタイヤ径方向内側端がリムに接触するように構成されている。また、外側ビード部の内径と内側ビード部の内径とは同一に構成されている。
【特許文献１】特開２００３―３９９１４（図３）
【発明の開示】
【発明が解決しようとする課題】
【０００６】
しかしながら、特許文献１に記載の空気入りタイヤでは、外側ビード部の内径と内側ビード部の内径とが同一に設定されていたため、以下のような問題点があった。すなわち特許文献１に記載のリムでは、ビードシートが幅方向に一定径であるため、隣接する気室の内圧が異なる場合等、隔壁部が動いてしまい空気漏れを生ずる場合がある。
【０００７】
そこで、実際には、隔壁部に形成された内側ビード部を固定するため、一定径のリムでは接着剤を用いて固定せざるを得ず、また、接着剤を使用しない場合には、内側ビード部の移動を阻止するための背の高いハンプ部を内側ビード部の横に配置した特殊形状のリムを使用しなければならず、リム組みの際に隔壁部の内側ビード部がハンプ部に引っ掛かり、また、タイヤ内側も見えないため、隔壁部の内側ビード部を所定の位置に配置することが困難で、リム組み作業が非常に困難であった。
【０００８】
また、特許文献１に記載の空気入りタイヤでは、タイヤ転動に伴ってタイヤが繰り返し撓むことにより、隔壁部とタイヤ内側面との連結部で第一のカーカスプライを設けた部分と第二のカーカスプライを設けた部分とが剥離してしまうことがあった。
【０００９】
特に、タイヤ気室のうちタイヤ幅方向中央の主気室の内圧よりもタイヤ幅方向両側の副気室の内圧を高くした状態で、例えば、高速道路等を走行すると、隔壁部とタイヤ内側面との連結部で第一のカーカスプライを設けた部分と第二のカーカスプライを設けた部分とを分離する力が強まるため、第一のカーカスプライを設けた部分と第二のカーカスプライを設けた部分との剥離が生じやすくなるという問題があった。
【００１０】
本発明は上記事情に鑑みてなされたものであって、タイヤ内側に形成された隔壁部によってタイヤ気室がタイヤ幅方向に複数に分割されてなる空気入りタイヤ、及びタイヤ・リム組立体において、空気入りタイヤのリムへの組み付け作業を改善すると共に、隔壁部とタイヤ内側面との連結部の耐久性を向上させることを目的とする。
【課題を解決するための手段】
【００１１】
請求項１に記載の空気入りタイヤは、タイヤ幅方向両側に形成された左右一対のタイヤサイド部と、前記左右一対のタイヤサイド部のうち一方のタイヤサイド部のタイヤ径方向外側端と他方のタイヤサイド部のタイヤ径方向外側端とを連結するトレッド部と、前記左右一対のタイヤサイド部のそれぞれに形成された外側ビード部の間に前記外側ビード部とはタイヤ幅方向に離間して設けられ、前記タイヤサイド部及び前記トレッド部の少なくとも一方のタイヤ内側面からタイヤ径方向内側に延びると共に、タイヤ径方向内側端にリムと接触する内側ビード部を有して構成され、且つ、前記タイヤサイド部と前記トレッド部と前記リムとで形成されるタイヤ気室をタイヤ幅方向に三分割する左右一対の隔壁部と、を備えた空気入りタイヤにおいて、前記外側ビード部の内径が、前記内側ビード部の内径よりも大きく形成され、前記隔壁部の前記タイヤ内側面との連結部を介して前記隔壁部から前記タイヤサイド部に至る領域には、前記隔壁部の前記タイヤ内側面との連結部を介して前記隔壁部から前記タイヤサイド部に連続するように左右一対の補強層が設けられていることを特徴としている。
【００１２】
次に、請求項１に記載の空気入りタイヤの作用を説明する。
【００１３】
外側ビード部の内径が内側ビード部の内径よりも大きく形成された請求項１に記載の空気入りタイヤは、外側ビード部の内径と同径に設定された外側ビードシート、及び外側ビードシートのタイヤ軸方向内側に段部を介して設けられ内側ビード部の内径と同径に設定された内側ビードシートを備えたリムに組み付けられ、これにより、タイヤ軸方向に独立した３つのタイヤ気室を備えたタイヤ・リム組立体が得られる。
【００１４】
このタイヤ・リム組立体は、釘踏み等による接地面でのパンクや、縁石擦れなどによるサイド部のパンク等の何れにおいても、他のパンクしていないタイヤ気室が荷重を支持するので、若干の操縦安定性と振動乗心地の悪化は伴うが、問題なく安全に走行を続けることができる。
【００１５】
リムには、外側ビード部が装着される外側ビードシートと内側ビード部が装着される内側ビードシートとの間に、両者の径差によって、内側ビード部のタイヤ幅方向外側への移動を阻止する段部が形成されるため、リム組みの際に内側ビード部が引っかり作業性を悪化させる背の高いハンプ部を内側ビード部のタイヤ幅方向外側に形成する必要がなく、リム組みが容易になる。
【００１６】
なお、内側ビード部のタイヤ幅方向内側のハンプ部は、必須ではない。
【００１７】
また、請求項１に記載の空気入りタイヤには、隔壁部のタイヤ内側面との連結部を介して隔壁部からタイヤサイド部に至る領域に左右一対の補強層が設けられているので、この補強層により、隔壁部とタイヤ内側面との連結部の強度を向上させることができる。このため、タイヤ転動に伴ってタイヤが繰り返し撓んでも、隔壁部とタイヤ内側面との連結部で剥離が生じてしまうことを防止することができる。このように、本発明の空気入りタイヤによれば、補強層を設けることにより、隔壁部とタイヤ内側面との連結部の耐久性を向上させることができる。
【００１８】
特に、タイヤ気室のうちタイヤ幅方向中央の主気室の内圧よりもタイヤ幅方向両側の副気室の内圧を高くした状態で、例えば、高速道路等を走行しても、補強層によって隔壁部とタイヤ内側面との連結部の強度を向上させることにより、隔壁部とタイヤ内側面との連結部で剥離が生じることを抑制することができる。このように、本発明の空気入りタイヤによれば、高速走行時の耐久性も従来に比して各段に向上させることができる。
【００１９】
そして、請求項２に記載の発明は、請求項１に記載の空気入りタイヤにおいて、補強層が、傾斜コード層、３軸織物、不織布のいずれかにより又はこれらの組み合わせにより構成されていることを特徴としている。
【００２０】
次に、請求項２に記載の空気入りタイヤの作用を説明する。
【００２１】
このように、補強層が、傾斜コード層、３軸織物、不織布のいずれかにより又はこれらの組み合わせにより構成されていると、隔壁部とタイヤ内側面との連結部の強度をより高めることができるので好適である。
【００２２】
また、請求項３に記載の発明は、請求項１又は請求項２に記載の空気入りタイヤにおいて、外側ビード部の内径をＲＯとし、内側ビード部の内径をＲＩとしたときに、０＜ＲＯ−ＲＩ＜５０ｍｍを満足する、ことを特徴としている。
【００２３】
次に、請求項３に記載の空気入りタイヤの作用を説明する。
【００２４】
外側ビード部の内径ＲＯと内側ビード部の内径ＲＩとの関係が、ＲＯ＝ＲＩであると、隔壁部に形成された内側ビード部のタイヤ軸方向外側への移動を阻止するための背の高いハンプ部を設けたリムを用いなければならず、組み付け作業が非常に困難にならざるを得なくなる。また、ＲＯ−ＲＩ≧５０ｍｍとなると、現行のタイヤ製法でのタイヤ製作が困難、かつ非現実的になる。
【００２５】
さらに、外側ビード部の内径ＲＯと内側ビード部の内径ＲＩとの関係が、ＲＯ−ＲＩ≧５０ｍｍとなると、外側ビード部の内径に対して内側ビード部の内径が小さくなりすぎ、それに伴ってリムの内径が小さくなるので、結果的にリム内側に装着可能なブレーキの径が小さくなってしまう。これは、車両運動性能を低下させる要因となる可能性があり好ましくない。
【００２６】
従って、０＜ＲＯ−ＲＩ＜５０ｍｍを満足させると、上記の如く不都合が生じることを防止することができるので好適である。
【００２７】
また、請求項４に記載の発明は、請求項１乃至請求項３のいずれか一項に記載の空気入りタイヤにおいて、前記隔壁部と前記タイヤ内側面との連結部に位置する前記補強層のタイヤ径方向最外側の部分を前記補強層の折り返し屈曲点とすると共に、前記補強層の折り返し屈曲点から前記補強層に沿って前記内側ビード部側へ延びる部分の前記補強層の長さをＷ１とし、前記補強層の折り返し屈曲点から前記補強層に沿って前記外側ビード部側へ延びる部分の前記補強層の長さをＷ２とし、前記補強層を前記隔壁部に沿って前記内側ビード部のビードベース突出端を通過するタイヤ回転軸方向と平行な内側ビード部突出端基準線にまで仮想的に延長させたときの前記補強層の折り返し屈曲点から前記補強層の仮想延長線と前記内側ビード部突出端基準線との交点に至る部分の前記隔壁部の長さをＦＨ１とし、前記補強層を前記タイヤサイド部に沿って前記外側ビード部のビードベース突出端を通過するタイヤ回転軸方向と平行な外側ビード部突出端基準線にまで仮想的に延長させたときの前記補強層の折り返し屈曲点から前記補強層の仮想延長線と前記外側ビード部突出端基準線との交点に至る部分の前記タイヤサイド部の長さをＦＨ２としたときに、１０ｍｍ≦Ｗ１≦ＦＨ１で、且つ、１０ｍｍ≦Ｗ２≦ＦＨ２を満足する、ことを特徴としている。
【００２８】
なお、この場合の内側ビード部のビードベース突出端とは、内側ビード部に形成されたビードベースのうちタイヤ径方向内側に最も突出した部分（例えば、内側ビード部のビードトゥ）のことであり、外側ビード部のビードベース突出端とは、外側ビード部に形成されたビードベースのうちタイヤ径方向内側に最も突出した部分（例えば、外側ビード部のビードトゥ）のことである。
【００２９】
次に、請求項４に記載の空気入りタイヤの作用を説明する。
【００３０】
補強層の折り返し屈曲点から補強層に沿って内側ビード部側へ延びる部分の補強層の長さＷ１について、１０ｍｍ＜Ｗ１とすると、補強層の折り返し屈曲点から補強層に沿って内側ビード部側へ延びる部分の補強層の長さＷ１が短すぎるために、補強層を有しない従来の空気入りタイヤのように、隔壁部とタイヤ内側面との連結部の強度を確保することができず、隔壁部とタイヤ内側面との連結部で剥離が生じる虞がある。
【００３１】
同様に、補強層の折り返し屈曲点から補強層に沿って外側ビード部側へ延びる部分の補強層の長さＷ２について、１０ｍｍ＜Ｗ２とすると、補強層の折り返し屈曲点から補強層に沿って外側ビード部側へ延びる部分の補強層の長さＷ２が短すぎるために、補強層を有しない従来の空気入りタイヤのように、隔壁部とタイヤ内側面との連結部の強度を確保することができず、隔壁部とタイヤ内側面との連結部で剥離が生じる虞がある。
【００３２】
従って、補強層の折り返し屈曲点から補強層に沿って内側ビード部側へ延びる部分の補強層の長さＷ１と、補強層の折り返し屈曲点から補強層に沿って外側ビード部側へ延びる部分の補強層の長さＷ２とについて、請求項４に記載の発明の如く所定の数値範囲を設けると、隔壁部とタイヤ内側面との連結部の強度を十分に確保することができ、これにより、隔壁部とタイヤ内側面との連結部で剥離が生じることを確実に防止することができる。
【００３３】
また、請求項５に記載の発明は、請求項１乃至請求項４のいずれか一項に記載の空気入りタイヤにおいて、前記左右一対の外側ビード部には、タイヤ周方向に沿って延びる外側ビードコアがそれぞれ設けられ、前記左右一対の内側ビード部には、前記外側ビードコアのタイヤ幅方向内側に配置され、タイヤ周方向に沿って延びる内側ビードコアがそれぞれ設けられ、一方の前記タイヤサイド部から前記トレッド部を介して他方の前記タイヤサイド部に至る領域には、前記一対の外側ビードコア間にトロイダル状に跨るように構成されると共にタイヤ幅方向両端側が前記一対の外側ビードコアのそれぞれに係止された第一のカーカスプライが設けられ、一方の前記隔壁部から前記トレッド部を介して他方の前記隔壁部に至る領域には、前記第一のカーカスプライのタイヤ内側に配置され、前記一対の内側ビードコア間にトロイダル状に跨るように構成されると共にタイヤ幅方向両端側が前記一対の内側ビードコアのそれぞれに係止された第二のカーカスプライが設けられ、前記左右一対の隔壁部には、前記タイヤサイド部及び前記トレッド部の少なくとも一方のタイヤ内側面から前記第二のカーカスプライのタイヤ外側に沿ってタイヤ径方向内側に延びると共に、タイヤ径方向内側端がリムに接触するように形成された隔壁ゴム層がそれぞれ設けられ、前記左右一対の補強層のそれぞれは、前記第一のカーカスプライのタイヤ内側で且つ前記第二のカーカスプライのタイヤ外側に配置されていることを特徴としている。
【００３４】
次に、請求項５に記載の空気入りタイヤの作用を説明する。
【００３５】
請求項５に記載の空気入りタイヤでは、左右一対の補強層が、第一のカーカスプライのタイヤ内側で且つ第二のカーカスプライのタイヤ外側に配置されると共に、隔壁部のタイヤ内側面との連結部を介して隔壁部からタイヤサイド部に連続するように設けられている。
【００３６】
従って、この補強層により、隔壁部とタイヤ内側面との連結部の強度を向上させることができるため、タイヤ転動に伴ってタイヤが繰り返し撓んでも、隔壁部とタイヤ内側面との連結部で第一のカーカスプライを設けた部分と第二のカーカスプライを設けた部分とが剥離してしまうことを防止することができる。
【００３７】
特に、タイヤ気室のうちタイヤ幅方向中央の主気室の内圧よりもタイヤ幅方向両側の副気室の内圧を高くした状態で、例えば、高速道路等を走行すると、隔壁部とタイヤ内側面との連結部で第一のカーカスプライを設けた部分と第二のカーカスプライを設けた部分が剥離するように作用する力が増大するが、請求項５に記載の発明によれば、補強層により、隔壁部とタイヤ内側面との連結部で第一のカーカスプライを設けた部分と第二のカーカスプライを設けた部分とが剥離してしまうことを確実に阻止することができる。
【００３８】
また、請求項６に記載の発明は、請求項５に記載の空気入りタイヤにおいて、前記第二のカーカスプライのタイヤ幅方向一端側は、前記左右一対の内側ビードコアの一方にタイヤ外側から内側へ向けて巻き上げられ、前記第二のカーカスプライのタイヤ幅方向他端側は、前記左右一対の内側ビードコアの他方にタイヤ外側から内側へ向けて巻き上げられていることを特徴としている。
【００３９】
次に、請求項６に記載の空気入りタイヤの作用を説明する。
【００４０】
第一のカーカスプライは、タイヤサイド部（ビード部、サイドウォール部、タイヤショルダー部）、及びトレッド部を補強し、第二のカーカスプライは、隔壁部、及びトレッド部を補強する。中央のタイヤ気室は、主に第一のカーカスプライの上に設けたベルトの張力を分担することになるので、ここでの内圧を両側のタイヤ気室対比で低めに設定することで、大きな接地面積を確保し、例えば、グリップ力の向上を図ることができる。
【００４１】
一方、両側のタイヤ気室は、主にタイヤのサイド部のプライ張力を分担するので、ここの内圧を中央のタイヤ気室対比で高めに設定することで、タイヤ横剛性を高くでき、例えば、操縦安定性の向上を図ることができる。
【００４２】
ところで、第二のカーカスプライの幅方向端が内側ビードコアに対してタイヤ内側から外側へ向けて巻き上げられている空気入りタイヤを用いた場合、仮に両側のタイヤ気室の内圧を中央のタイヤ気室対比で高めに設定すると、圧力差により隔壁部がタイヤ中央側に押圧されることになり、両側の気室の内圧が隔壁部内の第二のカーカスプライに与えるコード張力により、ビードコア及びビードコア下のゴムが図１の矢印Ａ方向に回転しようとする力が加わる。
【００４３】
したがって、中央のタイヤ気室の内圧よりも両側のタイヤ気室の内圧が相対的に高く、かつ中央のタイヤ気室と両側のタイヤ気室との差圧が大きくなると（例えば、５０ｋＰａ以上の差圧）、隔壁部がリムの所定位置から外れてしまう場合がある。
【００４４】
一方、請求項６に記載の発明のように、第二のカーカスプライのタイヤ幅方向一端側が左右一対の内側ビードコアの一方にタイヤ外側から内側へ向けて巻き上げられ、第二のカーカスプライのタイヤ幅方向他端側が左右一対の内側ビードコアの他方にタイヤ外側から内側へ向けて巻き上げられていると、両側の気室の内圧が隔壁部内の第二のカーカスプライに与えるコード張力により、ビードコア及びビードコア下のゴムが図３の矢印Ｂ方向に回転しようとする力が加わる。
【００４５】
したがって、中央のタイヤ気室の内圧よりも両側のタイヤ気室の内圧が相対的に高く、かつ中央のタイヤ気室と両側のタイヤ気室との差圧が大きい場合や、釘踏み（所謂パンク）により結果的に中央のタイヤ気室の内圧が零になった場合であっても、隔壁部はリムの所定位置から外れず、タイヤ軸方向両側のタイヤ気室の内圧を維持できる。
【００４６】
請求項７に記載のタイヤ・リム組立体は、請求項１乃至請求項６のいずれか一項に記載の空気入りタイヤと、前記空気入りタイヤを装着するリムと、を備え、前記リムは、前記左右一対の外側ビード部の内周面にそれぞれ接触する左右一対の外側ビードシートと、前記左右一対の外側ビードシートのそれぞれのリム軸方向内側に段部を介して設けられ、前記外側ビードシートよりも小径に設定されて前記左右一対の内側ビード部のそれぞれの内周面に接触する左右一対の内側ビードシートと、前記左右一対の内側ビードシートの一方と他方の間に設けられ、前記内側ビードシートよりも小径に設定されたドロップと、を有することを特徴としている。
【００４７】
次に、請求項７に記載のタイヤ・リム組立体の作用を説明する。
【００４８】
請求項１乃至請求項３の何れか１項に記載の空気入りタイヤをリムに装着することで、ビード部の内周面が側ビードシートに接触し、隔壁部の内周面が内側ビードシートに接触し、これによりタイヤ軸方向に独立した３つのタイヤ気室を備えたタイヤ・リム組立体が得られる。
【００４９】
このため、釘踏み等による接地面でのパンクや、縁石擦れなどによるサイド部のパンク等の何れにおいても、他のパンクしていないタイヤ気室が荷重を支持するので、若干の操縦安定性と振動乗心地の悪化は伴うが、問題なく安全に走行を続けることができる。
【００５０】
また、リムには、従来技術のようにリム組みの際に隔壁部を引っ掛けて作業性を悪化させるハンプ部が無く、リム組みの際にビード部、及び隔壁部をドロップに落とし込むことができるため、空気入りタイヤを容易に組付けることができる。
【００５１】
請求項８に記載の発明は、請求項７に記載のタイヤ・リム組立体において、前記タイヤ気室のうちタイヤ軸方向両側に形成されたタイヤ気室の内圧が、タイヤ軸方向中央に形成されたタイヤ気室の内圧よりも高く設定されていることを特徴としている。
【００５２】
次に、請求項８に記載の空気入りタイヤの作用を説明する。
【００５３】
例えば、各タイヤ気室を標準の空気圧とし、その後、タイヤ軸方向中央のタイヤ気室の空気を抜き、タイヤ軸方向両側のタイヤ気室の内圧をタイヤ軸方向中央のタイヤ気室の内圧よりも相対的に高く設定すると、タイヤ縦方向の剛性がダウンすると共に接地面積がアップするので、悪路走行時の振動乗り心地性や氷雪路走行時のグリップ性を向上することができる。
【００５４】
また、タイヤ軸方向両側のタイヤ気室に空気を充填して内圧を増加させると、タイヤの横剛性及び前後剛性をアップすることが可能となるので、悪路走行時の振動乗心地性や氷雪路走行時のグリップ性を向上させたまま、操縦安定性をアップさせることができる。
【発明の効果】
【００５５】
以上説明したように本発明の空気入りタイヤ又はタイヤ・リム組立体によれば、リムへの組み付け作業を改善することができると共に、隔壁部とタイヤ内側面との連結部の耐久性を向上させることができる。
【発明を実施するための最良の形態】
【００５６】
以下、本発明の一実施形態について、図を参照して説明する。なお、以下に説明する部材、配置等は、本発明を限定するものではなく、本発明の趣旨に沿って各種改変することができることは勿論である。
【００５７】
［第一実施形態］
はじめに、図１，図２を参照しながら、本発明の第一実施形態に係るタイヤ・リム組立体について説明する。図１，図２は本発明の第一実施形態を示す図で、図１は、リムに空気入りタイヤ（サイズ：２２５／５５Ｒ１７）を装着したタイヤ・リム組立体の構成を示す断面図、図２は図１の要部拡大図である。
【００５８】
（空気入りタイヤの構成）
本実施形態の空気入りタイヤ１０は、乗用自動車用のタイヤとして好適に用いられるものであり、外側ビードコア１８と、内側ビードコア３１と、第一のカーカスプライ３２と、第二のカーカスプライ３７と、トレッドゴム層２３と、サイドゴム層１９と、隔壁ゴム層２７と、ベルト３６と、補強層３８と、インナーライナー３５，３９を主要な構成として備えている。
【００５９】
外側ビードコア１８は、タイヤ周方向に沿って延びるように構成されており、内側ビードコア３１は、外側ビードコア１８のタイヤ幅方向内側に配置され、タイヤ周方向に沿って延びるように構成されている。
【００６０】
第一のカーカスプライ３２は、一対の外側ビードコア１８間にトロイダル状に跨るように構成されている。第一のカーカスプライ３２のタイヤ幅方向両端側は、一対の外側ビードコア１８のそれぞれにタイヤ内側から外側へ向けて巻き上げられるようにして係止されている。
【００６１】
第二のカーカスプライ３７は、第一のカーカスプライ３２のタイヤ内側に配置され、一対の内側ビードコア３１間にトロイダル状に跨るように構成されている。第二のカーカスプライ３７のタイヤ幅方向両端側は、一対の内側ビードコア３１のそれぞれにタイヤ内側から外側へ向けて巻き上げられるようにして係止されている。
【００６２】
なお、第一のカーカスプライ３２及び第二のカーカスプライは、ラジアル配列とされたポリエステルコードやナイロンコード等の互いに平行に並べられた複数の有機繊維コードをゴムコーティングしたもので構成されている。
【００６３】
そして、第一のカーカスプライ３２は、後述する外側ビード部１６、タイヤサイド部２０、及びトレッド部２２を補強し、第二のカーカスプライ３７は、後述する隔壁部２４、及びトレッド部２２を補強している。
【００６４】
トレッドゴム層２３は、第一のカーカスプライ３２のタイヤ径方向外側に設けられており、本例では、このトレッド層２３によってタイヤ１０にトレッド部２２が構成されている。また、本例の空気入りタイヤ１０のトレッド部２２には、第一のカーカスプライ３２のタイヤ径方向外側の位置にベルト３６が配置されている。このベルト３６は、例えば、２層以上のスチールコード交錯層から構成されている。
【００６５】
サイドゴム層１９は、第一のカーカスプライ３２のタイヤ軸方向外側に設けられており、本例では、このサイドゴム層１９によってタイヤ１０にタイヤサイド部２０が構成されている。このタイヤサイド部２０は、タイヤショルダー部２１、サイドウォール部１５、外側ビード部１６の各領域に分割される。
【００６６】
本例の外側ビード部１６は、リム１２の外側ビードシート４６に接触するように形成されており、この外側ビード部１６には、第一のカーカスプライ３２の巻上部３２Ａと本体部３２Ｂとの間に、外側ビードコア１８からタイヤ径方向外側に延びる外側ビードフィラー３４が埋設されている。
【００６７】
隔壁ゴム層２７は、タイヤショルダー部２１のタイヤ内側から第二のカーカスプライ３７のタイヤ外側に沿ってタイヤ径方向内側に延びるように構成されており、隔壁ゴム層２７のタイヤ径方向内側端は、リム１２の内側ビードシート４８に接触するように形成されている。
【００６８】
本例では、このようにして第二のカーカスプライ３７に沿って隔壁ゴム層２７が形成されることにより、タイヤサイド部２０とトレッド部２２とリム１２とで形成されるタイヤ気室をタイヤ幅方向に三分割する左右一対の隔壁部２４が構成されている。
【００６９】
つまり、本例では、隔壁部２４と隔壁部２４との間に主気室２６が形成され、矢印Ｌ方向側のタイヤサイド部２０と隔壁部２４との間に第一副気室２８が形成され、矢印Ｒ方向側のタイヤサイド部２０と隔壁部２４との間に第二副気室３０が形成されている。
【００７０】
上述のように、内側ビード部２５のタイヤ径方向内側端は、リム１２に密着しているため、主気室２６、第一副気室２８、及び第二副気室３０は各々独立している。また、副気室２６の内側面には、インナーライナー３５が設けられており、第一副気室２８，３０の内側面には、インナーライナー３９がそれぞれ設けられている。
【００７１】
なお、隔壁部２４のタイヤ径方向内側の部分は、内側ビードコア３１を有する内側ビード部２５として形成されている。この内側ビード部２５には、第二のカーカスプライ３７の巻上部３７Ａと本体部３７Ｂとの間に、内側ビードコア３１からタイヤ径方向外側に延びる内側ビードフィラー３３が埋設されている。
【００７２】
ここで、本例では、内側ビード部２５の内径（＝リム径、以下同じ）よりも外側ビード部１６の内径の方が大きく形成されている。なお、外側ビード部１６の内径をＲＯとし、内側ビード部２５の内径をＲＩとしたときに、０＜ＲＯ−ＲＩ＜５０ｍｍを満足するように設定することが好ましい。
【００７３】
これは、ＲＯ＝ＲＩであると、隔壁部のタイヤ軸方向外側への移動を阻止するための背の高いハンプ部を設けたリムを用いなければならず、組み付け作業が非常に困難にならざるを得なくなり、また、ＲＯ−ＲＩ≧５０ｍｍとなると、現行のタイヤ製法でのタイヤ製作が困難、かつ非現実的になるからである。
【００７４】
また、ＲＯ−ＲＩ≧５０ｍｍとなると、外側ビード部の内径に対して内側ビード部の内径が小さくなりすぎ、それに伴ってリムの内径が小さくなるので、結果的にリム内側に装着可能なブレーキの径が小さくなってしまう。これは、車両運動性能を低下させる要因となる可能性があり好ましくない。従って、０＜ＲＯ−ＲＩ＜５０ｍｍを満足させる必要がある。
【００７５】
補強層３８は、後述するように、隔壁部２４とタイヤ内側面１７との連結部２９の強度を向上させるためのものである。本例の補強層３８は、第一のカーカスプライ３２のタイヤ内側で且つ第二のカーカスプライ３７のタイヤ外側に配置されると共に、隔壁部２４のタイヤ内側面１７との連結部２９を介して隔壁部２４からタイヤサイド部２０に連続するように設けられている。
【００７６】
また、本例の補強層３８は、例えば、傾斜コード層、３軸織物、不織布のいずれかにより又はこれらの組み合わせにより構成されている。なお、補強層３８は、傾斜コード層、３軸織物、不織布の他にも、適宜部材により構成することができることは勿論である。
【００７７】
ここで、傾斜コード層としては、例えば、互いに交差するコードからなる少なくとも一層の交錯層を有するもの等が用いられる。
【００７８】
この傾斜コード層に用いる繊維は高弾性率のものが好ましく、高弾性率の繊維としては、スチール繊維、アラミド繊維、ポリベンゾオキサゾール繊維、炭素繊維、ガラス繊維等を挙げることができるが、これら以外の繊維であっても良い。中でも、効果の観点からスチール繊維が好ましい。また繊維はモノフィラメントであっても良く、複数本を撚り合わせたマルチフィラメント（又はコード）であっても良い。
【００７９】
３軸織物としては、２種の縦糸（Ｘ軸系、Ｙ軸系）と横糸（Ｚ軸系）とが約６０°の角度で交差した状態で織られたものが用いられる。この３軸織物は、高剛性の有機繊維、無機繊維及び金属繊維から選択される少なくとも１種で形成されているのが好ましい。
【００８０】
不織布としては、ポリエチレンテフタレート繊維が用いられる。なお、不織布を構成するフィラメント繊維の材質としては、綿、レーヨン、セルロースなどの天然高分子繊維、脂肪族ポリアミド、ポリエステル、ポリビニルアルコール、ポリイミド、芳香族ポリアミドなどの合成高分子繊維、及びカーボン繊維、ガラス繊維、スチールワイヤのうちから選択した一種又は複数種の繊維を混合することができる。
【００８１】
なお、不織布を構成するフィラメント繊維の材質としては、綿、レーヨン、セルロースなどの天然高分子繊維、脂肪族ポリアミド、ポリエステル、ポリビニルアルコール、ポリイミド、芳香族ポリアミドなどの合成高分子繊維、及びカーボン繊維、ガラス繊維、スチールワイヤのうちから選択した一種又は複数種の繊維を混合することができる。
【００８２】
そして、本例では、図２に示すように、補強層３８の長さに所定の範囲を設けている。すなわち、隔壁部２４とタイヤ内側面１７との連結部２９に位置する補強層３８のタイヤ径方向最外側の部分を補強層３８の折り返し屈曲点Ｋとすると共に、補強層３８の折り返し屈曲点Ｋから補強層３８に沿って内側ビード部２５側へ延びる部分の補強層３８の長さをＷ１とし、同じく補強層３８の折り返し屈曲点Ｋから補強層３８に沿って外側ビード部１６側へ延びる部分の補強層３８の長さをＷ２とし、補強層３８を隔壁部２４に沿って内側ビード部２５のビードベース突出端２５ａを通過するタイヤ回転軸方向と平行な内側ビード部突出端基準線Ｌ１にまで仮想的に延長させたときの補強層３８の折り返し屈曲点Ｋから補強層３８の仮想延長線Ｌ２と内側ビード部突出端基準線Ｌ１との交点Ｐ１に至る部分の隔壁部２４の長さをＦＨ１とし、補強層３８をタイヤサイド部２０に沿って外側ビード部１６のビードベース突出端１６ａを通過するタイヤ回転軸方向と平行な外側ビード部突出端基準線Ｌ３にまで仮想的に延長させたときの補強層３８の折り返し屈曲点Ｋから補強層３８の仮想延長線Ｌ４と外側ビード部突出端基準線Ｌ３との交点Ｐ２に至る部分のタイヤサイド部２０の長さをＦＨ２としたときに、１０ｍｍ≦Ｗ１≦ＦＨ１で、且つ、１０ｍｍ≦Ｗ２≦ＦＨ２を満足することが好ましい。
【００８３】
また、より好ましくは、３０ｍｍ≦Ｗ１≦ＦＨ１で、且つ、３０ｍｍ≦Ｗ２≦ＦＨ２であることが望ましい。
【００８４】
なお、この場合の内側ビード部２５のビードベース突出端２５ａとは、内側ビード部２５ａに形成されたビードベースのうちタイヤ径方向内側に最も突出した部分（例えば、内側ビード部２５のビードトゥ）のことであり、外側ビード部１６のビードベース突出端１６ａとは、外側ビード部１６に形成されたビードベースのうちタイヤ径方向内側に最も突出した部分（例えば、外側ビード部１６のビードトゥ）のことである。
【００８５】
ここで、１０ｍｍ＜Ｗ１となると、補強層３８の折り返し屈曲点Ｋから補強層３８に沿って内側ビード部２５側へ延びる部分の補強層３８の長さＷ１が短すぎるために、補強層３８を有しない従来の空気入りタイヤと同様に、隔壁部２４とタイヤ内側面１７との連結部２９の強度を確保することができず、隔壁部２４とタイヤ内側面１７との連結部２９で第一のカーカスプライ３２を設けた部分と第二のカーカスプライ３７を設けた部分とが剥離する虞がある。
【００８６】
同様に、１０ｍｍ＜Ｗ２となると、補強層３８の折り返し屈曲点Ｋから補強層３８に沿って外側ビード部１６側へ延びる部分の補強層３８の長さＷ２が短すぎるために、補強層３８を有しない従来の空気入りタイヤと同様に、隔壁部２４とタイヤ内側面１７との連結部２９の強度を確保することができず、隔壁部２４とタイヤ内側面１７との連結部２９で第一のカーカスプライ３２を設けた部分と第二のカーカスプライ３７を設けた部分とが剥離する虞がある。
【００８７】
そこで、本例では、上述の如く、補強層３８の折り返し屈曲点Ｋから補強層３８に沿って内側ビード部２５側へ延びる部分の補強層３８の長さＷ１と、補強層３８の折り返し屈曲点Ｋから補強層３８に沿って外側ビード部１６側へ延びる部分の補強層３８の長さＷ２とについて、所定の数値範囲を設けている。
【００８８】
（リムの構成）
リム１２は、外側ビード部１６を配置する一対の外側ビードシート４６と、外側ビードシート４６のタイヤ軸方向内側に配置される内側ビードシート４８を備えている。
【００８９】
外側ビードシート４６は、外側ビード部１６の内径に合わせて形成されており、内側ビードシート４８は、内側ビード部２５の内径に合わせて形成されている。本例では、上述のように、外側ビード部の内径が内側ビード部の内径よりも大きくなっているので、これに合わせて、外側ビードシート４６は、外側ビードシート４６よりも小径に設定されている。
【００９０】
外側ビードシート４６の軸方向外側には、外側ビード部１６がタイヤ幅方向外側に押し出されるのを防止する役割をするフランジ５０が形成されており、内側ビードシート４８と外側ビードシート４６との間には、内側ビード部２５がタイヤ幅方向外側に押し出されるのを防止する役割をする段部５２が形成されている。
【００９１】
また、リム１２の軸方向中央には、溝底の径が内側ビードシート４８よりも小径とされたドロップ部（ウエル）５４が設けられている。
【００９２】
なお、リム１２には、第一副気室２８に気体を充填するための第一エアバルブ４０と、第二副気室３０に気体を充填するための第二エアバルブ４１と、主気室２６に気体を充填するための第３エアバルブ４２が設けられている。
【００９３】
（作用）
先ず、本実施形態のリム１２では、外側ビード部１６の内径ＲＯが内側ビード部２５の内径ＲＩよりも大きく設定されており、中間部にドロップ５４が設けられているので、空気入りタイヤ１０を装着する際に、外側ビード部１６、及び内側ビード部２５をドロップ５４に落とし込むことができ、従来一般の空気入りタイヤの組み付けと同様に空気入りタイヤ１０のリム１２への組み付け作業が容易になる。
【００９４】
また、リム１２には、外側ビード部１６が装着される外側ビードシート４６と内側ビード部２５が装着される内側ビードシート４８との間に、両者の径差によって、内側ビード部２５のタイヤ幅方向外側への移動を阻止する段部５２が形成されるため、リム組みの際に内側ビード部２５が引っかり作業性を悪化させる背の高いハンプ部を内側ビード部２５のタイヤ幅方向外側に形成する必要がなく、リム組みが容易になる。
【００９５】
さらに、本実施形態のタイヤ・リム組立体１４では、空気入りタイヤ１０とリム１２との間に、隔壁部２４で区画された第一副気室２８、主気室２６、及び第二副気室３０がタイヤ幅方向に形成されているので、トレッド部２２の釘踏み等による接地面でのパンクや、縁石擦れなどによるタイヤタイヤサイド部２０のパンク等の何れにおいても、他のパンクしていない２つの気室が荷重を支持するので、多少のタイヤ高さの低下、若干の操縦安定性と振動乗心地の悪化は伴うが、問題なく安全に走行を続けることができる。
【００９６】
ここで、第一副気室２８の内圧と、第二副気室３０の内圧と、主気室２６の内圧とは同一であっても良く、互いに異なっていても良い。第一副気室２８の内圧と、第二副気室３０の内圧と、主気室２６の内圧とは、全て異なる任意の圧力に設定することができる。
【００９７】
例えば、第一副気室２８の内圧と、第二副気室３０の内圧と、主気室２６の内圧とを同一にすれば、従来の空気入りタイヤと同様の特性が得られる。
【００９８】
また、上記のように３つの気室の内圧を同じに設定した状態から、主気室２６の空気を抜いて第一副気室２８の内圧及び第二副気室３０の内圧よりも主気室２６の内圧を低下させると、タイヤ縦方向の剛性がダウンすると共に接地面積がアップするので、悪路走行時の振動乗心地性や氷雪路走行時のグリップ性を向上することができる。
【００９９】
さらに、第一副気室２８と第二副気室３０とに空気を充填して内圧を増加させると、タイヤの横剛性及び前後剛性をアップすることが可能となるので、悪路走行時の振動乗心地性や氷雪路走行時のグリップ性を向上させたまま、操縦安定性をアップさせることができる。
【０１００】
また、本例の空気入りタイヤ１０には、第一のカーカスプライ３２のタイヤ内側で且つ第二のカーカスプライ３７のタイヤ外側に配置されると共に、隔壁部２４のタイヤ内側面１７との連結部２９を介して隔壁部２４からタイヤサイド部２０に連続するように左右一対の補強層３８が設けられている。
【０１０１】
従って、補強層３８により、隔壁部２４とタイヤ内側面１７との連結部２９の強度を向上させることができるため、タイヤ転動に伴ってタイヤが繰り返し撓んでも、隔壁部とタイヤ内側面との連結部で第一のカーカスプライを設けた部分と第二のカーカスプライを設けた部分とが剥離してしまうことを防止することができる。このように、本例の空気入りタイヤによれば、補強層３８を設けることにより、隔壁部２４とタイヤ内側面１７との連結部２９の耐久性を向上させることができる。
【０１０２】
特に、タイヤ気室のうちタイヤ幅方向中央の主気室２６の内圧よりもタイヤ幅方向両側の第一副気室２８，３０の内圧を高くした状態で、例えば、高速道路等を走行しても、補強層３８によって隔壁部２４とタイヤ内側面１７との連結部２９の強度を向上させることにより、隔壁部とタイヤ内側面との連結部で第一のカーカスプライを設けた部分と第二のカーカスプライを設けた部分との剥離を抑制することができる。このように、高速走行時の耐久性も従来に比して各段に向上させることができる。
【０１０３】
［第二実施形態］
次に、図３を参照しながら、本発明の第二実施形態に係るタイヤ・リム組立体について説明する。図３は、本発明の第二実施形態を示す図であり、リムに空気入りタイヤ（サイズ：２２５／５５Ｒ１７）を装着したタイヤ・リム組立体の構成を示す断面図である。なお、第一の実施形態と同一構成には同一符号を付し、その説明は省略する。
【０１０４】
図２に示すように、本実施形態では、第二のカーカスプライ３７のタイヤ幅方向両端側は、一対の内側ビードコア３１のそれぞれにタイヤ外側から内側へ向けて巻き上げられるようにして係止されている。なお、その他の構成は第一の実施形態と同様である。
【０１０５】
このように、第二のカーカスプライのタイヤ幅方向両端側が内側ビードコア３１に対してタイヤ外側から内側へ向けて巻き上げられていると、第一副気室２８、及び第二副気室３０の内圧がそれぞれに隣接する隔壁部２４内の第二のカーカスプライ３７に与えるコード張力により、内側ビードコア３１及び内側ビードコア３１下のゴムが図２の矢印Ｂ方向に回転しようとする力が加わる。
【０１０６】
従って、主気室２６の内圧が、第一副気室２８の内圧及び第二副気室３０の内圧よりも相対的に高い場合や、パンク等により主気室２６の内圧が零になった場合であっても、隔壁部２４はリム１２の所定位置から外れず、第一副気室２８の内圧及び第二副気室３０の内圧を維持できる。なお、その他の作用、効果は第一の実施形態と同様である。
【０１０７】
（試験例）
本発明の効果を確かめるために、第一の比較例のタイヤ・リム組立体を１種類（図４参照）、第二の比較例に係るタイヤ・リム組立体を２種類（図１参照）、及び本発明の適用された実施例のタイヤ・リム組立体を４種類（図１参照）を用意し、高速耐久性試験を行った。
【０１０８】
なお、図４に示す第一の比較例のタイヤ・リム組立体２１４は、本例のタイヤ・リム組立体１４から補強層３８を除いたものであり、その他の構成については本例のタイヤ・リム組立体と同様の構成となっている。
【０１０９】
また、第二の比較例に係るタイヤ・リム組立体は、本例と同様に補強層３８を有するものであるが、補強層３８の折り返し屈曲点Ｋから補強層３８に沿って内側ビード部２５側へ延びる部分の補強層３８の長さＷ１が、比較例１では７ｍｍとなっており、比較例２では７ｍｍとなっており、また、補強層３８の折り返し屈曲点Ｋから補強層３８に沿って外側ビード部１６側へ延びる部分の補強層３８の長さＷ２が、比較例１では７ｍｍとなっており、比較例２では３０ｍｍとなっている。つまり、比較例に係るタイヤ・リム組立体の補強層３８の長さが本発明の数値範囲外となっている。
【０１１０】
高速耐久性試験は、ＪＩＳ規格の高速性能試験Ｂに基づいて行い、高速耐久性指数は、第一の比較例のタイヤ・リム組立体２１４の故障速度を１００として表す。つまり、指数が大きいほど故障限界速度が高く、高速走行での耐久性が良好なタイヤであることを表す。なお、供試タイヤは、乗用車用で、いずれもサイズが２２５／５５Ｒ１７である。表１には、高速耐久性試験の結果を示す。
【０１１１】
【表１】
2006175893.tif 000003
表１より、第二の比較例１，２のタイヤ・リム組立体は、補強層３８の長さが本発明の数値範囲外であるため、隔壁部２４とタイヤ内側面１７との連結部２９の強度を確保することができず、高速耐久性が補強層３８を有しない第一の比較例と同一に留まっている。
【０１１２】
これに対して、実施例のタイヤ・リム組立体１４は、補強層３８の長さが十分であるため、隔壁部２４とタイヤ内側面１７との連結部２９の強度を十分に確保することができ、高速耐久性が第一、第二の比較例に比して向上している。
【０１１３】
また、実施例のタイヤ・リム組立体１４では、補強層３８の長さを長くするに従って、隔壁部２４とタイヤ内側面１７との連結部２９の強度をさらに高めることができ、高速耐久性を向上させることができることが明かとなった。
【図面の簡単な説明】
【０１１４】
【図１】図１は本発明の第一実施形態に係るタイヤ・リム組立体の断面図である。
【図２】図２（Ａ）〜（Ｃ）は本発明の第一実施形態に係るタイヤ・リム組立体の要部拡大図である。
【図３】図３は本発明の第二実施形態に係るタイヤ・リム組立体の断面図である。
【図４】図４は比較例に係るタイヤ・リム組立体の断面図である。
【符号の説明】
【０１１５】
１０    空気入りタイヤ
１２    リム
１４    タイヤ・リム組立体
１６    外側ビード部
１７    タイヤ内側面
１８    外側ビードコア
２０    タイヤサイド部
２２    トレッド部
２４    隔壁部
２５    内側ビード部
２６    主気室
２８    第一副気室
３０    第二副気室
３１    内側ビードコア
３２    第一のカーカスプライ
３７    第二のカーカスプライ
３８    補強層
４６    外側ビードシート
４８    内側ビードシート
５０    フランジ
５２    段部
５４    ドロップ
Ｋ      折り返し屈曲点
【図１】
2006175893.tif 000004
【図２】
2006175893.tif 000005
【図３】
2006175893.tif 000006
【図４】
2006175893.tif 000007